(57)【要約】【課題】除霜運転時に電装品の温度が上昇するのを抑制する。【解決手段】このヒートポンプ暖房給湯装置では、除霜運転が開始されると、室外熱交換器に付設されるファンを停止する（ステップＳ５１）。そして、制御部に実装される電装品の温度を検知するためのサーミスタの温度がＡ℃以上になった場合には（ステップＳ５２：Ｙｅｓ）、ファンの運転を再開する（ステップＳ５３）。その後、サーミスタの温度が（Ａ−Ｂ）℃以下になった場合には（ステップＳ５４：Ｙｅｓ）、ファンを停止させる（ステップＳ５５）。【選択図】図４
2009287843.tif 000002
【特許請求の範囲】
【請求項１】
冷媒が内部を流通する熱交換器と、
前記熱交換器に付設される送風機と、
前記送風機の運転を制御し、電装品を有する制御部と、
前記電装品の温度を検知するための電装品温度検知手段とを備え、
前記制御部は、前記熱交換器の除霜運転時において、前記電装品温度検知手段により検知された前記電装品の温度に基づいて、前記送風機の運転を制御することを特徴とする、室外機。
【請求項２】
前記制御部は、前記熱交換器の除霜運転時において、前記送風機の運転を停止した後、前記電装品温度検知手段により検知された前記電装品の温度が第１温度以上になった場合に前記送風機の運転を開始すると共に、前記電装品温度検知手段により検知された前記電装品の温度が前記第１温度より低い第２温度以下になった場合に前記送風機の運転を停止することを特徴とする、請求項１に記載の室外機。
【請求項３】
前記冷媒にＣＯ２を用いたことを特徴とする、請求項１又は２に記載の室外機。
【請求項４】
請求項１〜３のいずれか１項に記載の室外機と、
前記室外機によって加熱された循環液を貯湯するための貯湯タンクと、
貯湯タンク内に貯留された循環液を前記室外機と前記貯湯タンクとの間で循環させる循環回路とを備えることを特徴とする、ヒートポンプ装置。
【発明の詳細な説明】
【技術分野】
【０００１】
本発明は、熱交換器の除霜運転を行う室外機及びヒートポンプ装置に関する。
【背景技術】
【０００２】
室外機において、暖房運転時に蒸発器となる室外熱交換器に空気中の水分が霜となり付着する現象（着霜現象）が発生する。そして、暖房運転中において室外熱交換器に付着する着霜量が増加すると、室外熱交換器の通風抵抗が増大し、所定の暖房能力を維持することが困難になる。そこで、室外熱交換器における着霜量が所定量まで増加すると、室外熱交換器に付着した霜を取り除く除霜運転が行われる。この除霜運転では、通常ファンを停止させる制御が行われる（例えば、特許文献１参照）。
【特許文献１】特開２００７−２９２３９０号公報
【発明の開示】
【発明が解決しようとする課題】
【０００３】
しかしながら、上記特許文献１に開示される暖房装置では、除霜運転中にファンを停止させることにより、制御基板などに実装される電装品の放熱量が低下し、当該電装品の温度が上昇してしまうという問題がある。
【０００４】
そこで、この発明は、上記のような課題を解決するためになされたものであり、除霜運転時に電装品の温度が上昇するのを抑制することが可能な室外機及びヒートポンプ装置を提供することを目的とする。
【課題を解決するための手段】
【０００５】
第１の発明にかかる室外機は、冷媒が内部を流通する熱交換器と、熱交換器に付設される送風機と、送風機の運転を制御し、電装品を有する制御部と、電装品の温度を検知するための電装品温度検知手段とを備え、制御部は、熱交換器の除霜運転時において、電装品温度検知手段により検知された電装品の温度に基づいて、送風機の運転を制御する。
【０００６】
この室外機では、除霜運転中において電装品の温度が上昇した場合に送風機を運転することにより、除霜運転であっても電装品を冷却することが可能となり当該電装品の温度が上昇するのを抑制することが可能となる。
【０００７】
第２の発明にかかる室外機は、第１の発明にかかる室外機において、制御部は、熱交換器の除霜運転時において、送風機の運転を停止した後、電装品温度検知手段により検知された電装品の温度が第１温度以上になった場合に送風機の運転を開始すると共に、電装品温度検知手段により検知された電装品の温度が第１温度より低い第２温度以下になった場合に送風機の運転を停止する。
【０００８】
この室外機では、除霜運転時に送風機の運転が停止されるため電装品の温度が上昇し易い状況下であるが、電装品の温度が第１温度以上になった場合に送風機の運転を開始すると共に、電装品の温度が第２温度以下になった場合に送風機の運転を停止することにより、第１温度以上に上昇した電装品を第２温度以下まで冷却することができる。
【０００９】
第３の発明にかかる室外機は、第１又は第２の発明にかかる室外機において、冷媒にＣＯ２を用いる。
【００１０】
ＣＯ２冷媒を用いる室外機では、冷媒の温度が高温となるので、電装品が高温になる恐れがある。このため、本発明のように除霜運転時に送風機を運転することにより、電装品の温度が上昇するのを抑制することは非常に有効である。
【００１１】
第４の発明にかかるヒートポンプ装置は、上記したいずれかの室外機と、室外機によって加熱された循環液を貯湯するための貯湯タンクと、貯湯タンク内に貯留された循環液を室外機と貯湯タンクとの間で循環させる循環回路とを備える。
【００１２】
このヒートポンプ装置では、上記したいずれかの室外機を用いることにより、電装品の温度が上昇するのを抑制することが可能なヒートポンプ装置を得ることができる。
【発明の効果】
【００１３】
以上の説明に述べたように、本発明によれば、以下の効果が得られる。
【００１４】
第１の発明では、除霜運転中において電装品の温度が上昇した場合に送風機を運転することにより、除霜運転であっても電装品を冷却することが可能となり当該電装品の温度が上昇するのを抑制することが可能となる。
【００１５】
また、第２の発明では、除霜運転時に送風機の運転が停止されるため電装品の温度が上昇し易い状況下であるが、電装品の温度が第１温度以上になった場合に送風機の運転を開始すると共に、電装品の温度が第２温度以下になった場合に送風機の運転を停止することにより、第１温度以上に上昇した電装品を第２温度以下まで冷却することができる。
【００１６】
また、第３の発明では、ＣＯ２冷媒を用いることにより冷媒の温度が高温となる恐れがあるが、除霜運転時に送風機を運転することにより、電装品の温度が上昇するのを抑制することができる。
【００１７】
また、第４の発明では、上記したいずれかの室外機を用いることにより、電装品の温度が上昇するのを抑制することが可能なヒートポンプ装置を得ることができる。
【発明を実施するための最良の形態】
【００１８】
以下、図面に基づいて、本発明に係るヒートポンプ暖房給湯装置の実施形態について説明する。
【００１９】
（第１実施形態）
図１は、本発明の第１実施形態に係るヒートポンプ暖房給湯装置の構成を示す模式図である。図２は、図１に示したヒートポンプ暖房給湯装置の貯湯タンク及び給湯用熱交換器の詳細を示した断面図である。以下、図１及び図２を参照して、ヒートポンプ暖房給湯装置１００の構成について詳細に説明する。
【００２０】
本実施形態のヒートポンプ暖房給湯装置１００は、図１に示すように、主として、室外機であるヒートポンプユニット１と、貯湯タンク２と、給湯用熱交換器３と、暖房用循環回路４と、沸上用循環回路５とを備えている。本実施形態のヒートポンプ暖房給湯装置１００では、貯湯タンク２に貯留された循環液が暖房用循環回路４を介してラジエータＡに供給されると共に、給湯用熱交換器３の内部を流れた水がキッチンや浴室などの給湯端末Ｂに供給される。
【００２１】
ヒートポンプユニット１は、貯湯タンク２に付設され、貯湯タンク２内の下部領域の循環液を加熱して貯湯タンク２内の上部領域へと返流する。このヒートポンプユニット１は、室外熱交換器（蒸発器）１１、圧縮機１２、水熱交換器（凝縮器）１３、過冷却熱交換器１４及び電動膨張弁１５を有する冷媒回路１６を有している。この冷媒回路１６には、ＣＯ２冷媒が循環している。また、室外熱交換器１１には、この室外熱交換器１１の能力を調整するファン１７が付設されている。また、本実施形態のヒートポンプユニット１には、上記した圧縮機１２、電動膨張弁１５、ファン１７などの動作を制御する制御部１８が設けられている。この制御部１８には、種々の電装品１８ａが実装されており、図示しない電装品ボックスに収納されている。また、制御部１８には、上記した電装品１８ａの温度を検知するためのサーミスタ１８ｂが設けられている。
【００２２】
この制御部１８は、後述する貯湯タンク２に設けられる温度センサ２２により検出される温度に係る信号等に基づいて、貯湯タンク２の下部領域の循環液を加熱して当該貯湯タンク２の頂部側へと返流する沸き上げ運転を行う。この沸き上げ運転時には、上記したＣＯ２冷媒は、室外熱交換器１１の内部を流通することにより、ファン１７の運転によって送られた空気中の熱を吸収してガス化し、圧縮機１２にて臨界圧以上になるまで圧縮されて高温となった後、水熱交換器１３に到達して、上記した貯湯タンク２から取り出された循環液と熱交換する。これにより、このＣＯ２冷媒は、水熱交換器１３に入る前に比べて低温となって、過冷却熱交換器１４へ向かう。そして、このＣＯ２冷媒は、過冷却熱交換器１４でさらに冷却された後、電動膨張弁１５を経て、室外熱交換器１１に戻る。
【００２３】
また、この制御部１８は、室外熱交換器１１における着霜に起因して熱交換が阻害されるのを抑制するため、室外熱交換器１１の温度が所定温度以下になった場合に、当該室外熱交換器１１に付着した霜を取り除く除霜運転を行う。具体的には、制御部１８は、除霜運転が開始されると、ファン１７の運転を停止させて、室外熱交換器１１が除霜運転終了温度以上になった場合、又は、除霜運転開始から所定時間が経過した場合に、除霜運転を終了させる。なお、このヒートポンプユニット１では、除霜運転中の冷媒の流れの方向を沸き上げ運転時と同じにする正サイクル除霜運転が行われる。
【００２４】
ここで、本実施形態では、制御部１８は、除霜運転時において、ファン１７の運転を停止した後、サーミスタ１８ｂにより検知された電装品１８ａの温度がＡ℃以上になった場合にファン１７の運転を開始すると共に、サーミスタ１８ｂにより検知された電装品１８ａの温度が（Ａ−Ｂ）℃以下になった場合にファン１７の運転を停止する。つまり、本実施形態のヒートポンプユニット１では、除霜運転中であっても、電装品１８ａの温度がＡ℃以上になった場合には、ファン１７の停止を解除することによってファン１７を積極的に運転している。これにより、室外熱交換器１１が除霜運転終了温度に到達するまでの時間は、除霜運転中にファン１７を常に停止させる場合に比べて長くなるが、電装品１８ａの温度がＡ℃以上になるのを抑制することが可能となる。
【００２５】
貯湯タンク２には、沸上用循環回路５を介して上記したヒートポンプユニット１が接続されると共に暖房用循環回路４を介してラジエータＡが接続されており、その内部には、ヒートポンプユニット１で加熱された循環液が貯留される。
【００２６】
この貯湯タンク２内の上下方向の略中央部には、図２に示すように、貯湯タンク２内の循環液を直接加熱するヒータ２０が設けられている。これにより、ヒートポンプユニット１の故障時にも、当該ヒータ２０を用いて、貯湯タンク２内の循環液を加熱することができると共に、ヒートポンプユニット１が循環液に与える熱量が不足している時にも、その不足分の熱量を当該ヒータ２０で補うことができる。また、このヒータ２０は、貯湯タンク２内の上下方向の略中央部に配置されているので、主として、ヒータ２０よりも上方にある循環液を加熱することになるが、貯湯タンク２内の上部領域の循環液は、貯湯タンク２内の下部領域の循環液に比べて高温であるから、短時間で循環液を高温にすることができる。特に、暖房負荷が瞬間的に増大した場合に効果的である。
【００２７】
また、貯湯タンク２には、一方端部２１ａが貯湯タンク２外に位置し、且つ、他方端部２１ｂが貯湯タンク２内であってヒータ２０の近傍且つ上方に位置する配管２１が設けられている。この配管２１の一方端部２１ａには、暖房用循環回路４の上流側他方端部４ｂが接続されており、ヒータ２０で加熱された直後の循環液を暖房用循環回路４に送り出すことが可能となっている。
【００２８】
また、貯湯タンク２には、貯湯タンク２内の各高さ位置における循環液の温度を検出するための温度センサ２２（図１参照）が複数設けられている。この温度センサ２２によって検知された温度に係る信号は、上記した沸き上げ運転の開始又は停止に用いられる。
【００２９】
貯湯タンク２の下部側には、利用側戻り接続口２３と、熱源側往き接続口２４と、凍結防止用戻り接続口２５とが設けられている。この利用側戻り接続口２３には、暖房用循環回路４の下流側端部４ｃが接続されている。これにより、ラジエータＡにて放熱して低温となった循環液が、貯湯タンク２内の下部領域に導入される。その結果、貯湯タンク２内の上部領域の比較的高温の循環液と、ラジエータＡにて比較的低温になった循環液とが混合して低温になるのを抑制することができる。また、熱源側往き接続口２４には、沸上用循環回路５の上流側端部５ａが接続されている。これにより、貯湯タンク２内の下部領域に存在する比較的低温の循環液を、沸上用循環回路５に送り出すことが可能となる。その結果、貯湯タンク２内の下部領域にある比較的低温の循環液がヒートポンプユニット１の水熱交換器１３に供給されることになるので、ヒートポンプユニット１のＣＯＰが向上する。また、凍結防止用戻り接続口２５には、沸上用循環回路５の下流側一方端部５ｂが接続されている。これにより、凍結防止運転中において十分に加熱されない循環液を貯湯タンク２内の下部領域に導入することが可能となる。なお、上記した凍結防止運転は、沸き上げ運転の停止中に行われる。
【００３０】
また、貯湯タンク２の頂部には、往き・戻り接続口２６が設けられている。この往き・戻り接続口２６には、暖房用循環回路４の上流側一方端部４ａ及び沸上用循環回路５の下流側他方端部５ｃが接続されている。これにより、ヒートポンプユニット１によって沸き上げられた比較的高温の循環液を、貯湯タンク２内の上部領域に導入することが可能となると共に、貯湯タンク２内の上部領域に存在する比較的高温の循環液を、暖房用循環回路４に送り出すことが可能となる。なお、暖房用循環回路４の上流側一方端部４ａと、沸上用循環回路５の下流側他方端部５ｃとは、共通の流路となっている。
【００３１】
給湯用熱交換器３は、図２に示すように、コイル状のパイプからなり、貯湯タンク２内の下部領域から上部領域に渡って配置されている。これにより、給水源Ｃ（図１参照）から供給されそのパイプを流通する水が、その周囲に貯留される循環液により加熱される。具体的には、給水源Ｃから供給される水は、給水流路３１を介して、貯湯タンク２内の下部領域に配置される下部コイル部３ａに導入される。そして、この下部コイル部３ａを上方に向かって流れた水は、貯湯タンク２内の上部領域に配置される上部コイル部３ｂに導入される。そして、この上部コイル部３ｂを上方に向かって流れた水は、出湯流路３２を介して、各給湯端末Ｂに供給される。このように、給湯用熱交換器３が、貯湯タンク２内の下部領域から上部領域に渡って配置されていて、給水源Ｃからの水が貯湯タンク２内の下部領域から上部領域に向かうので、当該水は給湯用熱交換器３の内部を流れる間に貯湯タンク２内の循環液により十分に加熱される。したがって、給湯用熱交換器３から高温の温湯が出湯可能となる。なお、下部コイル部３ａと上部コイル部３ｂとは、上記したヒータ２０を跨ぐように配置されている。
【００３２】
また、図１に示すように、給水流路３１と出湯流路３２との間には、混合弁３３が設けられている。この混合弁３３は、出湯流路３２を通過する温湯の温度を調整するために設けられている。具体的には、当該混合弁３３を開くことによって、出湯流路３２を通過する温湯と給水流路３１を通過する水とを混合して、給湯端末Ｂにおいて供給される温湯の温度を調整している。
【００３３】
暖房用循環回路４は、貯湯タンク２内に貯留された循環液を当該貯湯タンク２とラジエータＡとの間で循環させるものである。この暖房用循環回路４の上流側一方端部４ａは、貯湯タンク２の頂部に設けられる往き・戻り接続口２６に接続され、下流側端部４ｃは、利用側戻り接続口２３に接続されている。また、上流側他方端部４ｂは、貯湯タンク２に設けられる配管２１（図２参照）の一方端部２１ａに接続されている。そして、暖房用循環回路４上には、バイパス配管４１、混合弁４２、三方弁４３、温度センサ４４及び４５、循環ポンプ４６、複数のラジエータＡが設けられている。
【００３４】
バイパス配管４１は、ラジエータＡを経由して貯湯タンク２に戻る循環液の一部を混合弁４２へ案内するために設けられている。
【００３５】
混合弁４２は、貯湯タンク２から送り出された循環液が流入する入口と、上記したバイパス配管４１によって案内された循環液が流入する入口と、それらの入口から流入する循環液を混合して流出される出口とを有している。
【００３６】
三方弁４３は、暖房用循環回路４の上流側一方端部４ａが接続される往き・戻り接続口２６から送り出された循環液が流入する入口（以下、第１入口とする）と、暖房用循環回路４の上流側他方端部４ｂが接続される配管２１の他方端部２１ｂから送り出された循環液が流入する入口（以下、第２入口とする）と、その各入口から流入した循環液を送り出す出口とを有している。そして、この三方弁４３は、貯湯タンク２内の循環液の高温領域が配管２１の他方端部２１ｂ近傍に存在していない場合には、第１入口を開いて、往き・戻り接続口２６から循環液を取り出し、貯湯タンク２内の循環液の高温領域が配管２１の他方端部２１ｂ近傍に存在している場合には、第２入口を開いて、配管２１の他方端部２１ｂから循環液を取り出す。
【００３７】
温度センサ４４は、貯湯タンク２からラジエータＡへ向かう循環液の温度（往き循環液温度）を検出するために設けられており、温度センサ４５は、ラジエータＡから貯湯タンク２へ向かう循環液の温度（戻り循環液温度）を検出するために設けられている。
【００３８】
循環ポンプ４６は、貯湯タンク２内の循環液を暖房用循環回路４内において循環させるために設けられている。
【００３９】
各ラジエータＡは、暖房用循環回路４内を循環する循環液の熱を直接取り出し、当該ラジエータＡが設置される室内に放熱する。これにより、暖房用循環回路４内を循環する循環液の熱をラジエータＡに効率良く供給できるので、北欧等の暖房負荷の高い地域でも十分な暖房を行うことができる。
【００４０】
沸上用循環回路５は、貯湯タンク２内に貯留された循環液を当該貯湯タンク２とヒートポンプユニット１との間で循環させるものである。この沸上用循環回路５の上流側端部５ａは、貯湯タンク２の下部側に設けられる熱源側往き接続口２４に接続され、下流側一方端部５ｂは、貯湯タンク２の下部側に設けられる凍結防止用戻り接続口２５に接続され、下流側他方端部５ｃは、貯湯タンク２の頂部に設けられる往き・戻り接続口２６に接続されている。そして、沸上用循環回路５上には、循環ポンプ５１、上記したヒートポンプユニット１の水熱交換器１３、三方弁５２、及び、温度センサ５３が設けられている。
【００４１】
循環ポンプ５１は、貯湯タンク２内の循環液を沸上用循環回路５において循環させるために設けられている。
【００４２】
水熱交換器１３では、ＣＯ２冷媒と循環液とが熱交換されて、その循環液が加熱される。
【００４３】
三方弁５２は、上記した水熱交換器１３にて加熱された循環液が流入する入口と、往き・戻り接続口２６に向かって循環液を送り出す出口（以下、第１出口とする）と、凍結防止用戻り接続口２５に向かって循環液を送り出す出口（以下、第２出口とする）とを有している。そして、この三方弁５２は、水熱交換器１３を通過した循環液が十分に高温となっている場合には、第１出口を開いて、往き・戻り接続口２６を介して貯湯タンク２内の上部領域に循環液を返流し、水熱交換器１３を通過した循環液が十分に高温となっていない場合には、第２出口を開いて、凍結防止用戻り接続口２５を介して貯湯タンク２内の下部領域に循環液を返流する。従って、ヒートポンプユニット１の起動時や凍結防止運転時に、十分に高温とならない循環液が貯湯タンク２内の上部領域に返流されるのを防止することができる。これにより、十分に高温になっていない循環液が貯湯タンク２内の上部領域に返流されることに起因して、貯湯タンク２内の温度分布が乱れるのを防止することができる。このようにして、貯湯タンク２内では、上部領域に比較的高温の循環液が位置し、下部領域に比較的低温の循環液温水が位置するように液層（温度分布）が形成される。
【００４４】
温度センサ５３は、水熱交換器１３から三方弁５２に向かう循環液の温度（ヒートポンプユニット１によって沸き上げられた循環液の温度）を検出するために設けられている。
【００４５】
図３は、図１に示したヒートポンプ暖房給湯装置のヒートポンプユニットの動作フローを示したフローチャートであり、図４は、図３に示した除霜運転の詳細を示したフローチャートである。次に、図３及び図４を参照して、ヒートポンプユニット１の動作について詳細に説明する。
【００４６】
まず、制御部１８は、貯湯タンク２に設けられる温度センサ２２により検出される温度に係る信号等に基づいて、沸き上げ運転を開始するか否かを判断する（ステップＳ１）。そして、沸き上げ運転を開始する場合には（ステップＳ１：Ｙｅｓ）、制御部１８は、ファン１７を運転させた後（ステップＳ２）、圧縮機１２を運転させる（ステップＳ３）。一方、沸き上げ運転を開始しない場合には（ステップＳ１：Ｎｏ）、当該ステップＳ１の判断を繰り返す。
【００４７】
次に、制御部１８は、後述する除霜運転（ステップＳ５）の開始条件として、室外熱交換器１１の温度がＴ１℃以下になったか否かを判断して（ステップＳ４）、当該温度がＴ１℃以下になった場合には（ステップＳ４：Ｙｅｓ）、除霜運転を開始し（ステップＳ５）、当該温度がＴ１℃より高い場合には（ステップＳ４：Ｎｏ）、ステップＳ７の処理に移る。つまり、ここでは、室外熱交換器１１の温度によって、室外熱交換器１１の着霜状態を推定して、除霜運転（ステップＳ５）を開始するか否かを判断している。
【００４８】
そして、除霜運転（ステップＳ５）が終了すると、制御部１８は、除霜運転において停止されたファン１７の運転を再開させる（ステップＳ６）。その後、制御部１８は、貯湯タンク２に設けられる温度センサ２２により検出される温度に係る信号等に基づいて、沸き上げ運転を終了するか否かを判断する（ステップＳ７）。そして、沸き上げ運転を終了する場合には（ステップＳ７：Ｙｅｓ）、制御部１８は、圧縮機１２を停止させると共に（ステップＳ８）、ファン１７を停止させて（ステップＳ９）、ヒートポンプユニット１の運転を終了する。一方、沸き上げ運転を終了しない場合には（ステップＳ７：Ｎｏ）、再びステップＳ４に戻り、室外熱交換器１１の温度がＴ１℃以下になったか否かを判断する。
【００４９】
次に、上記したステップＳ５における除霜運転の詳細について説明する。
【００５０】
まず、除霜運転が開始されると、制御部１８は、ファン１７を停止させる（ステップＳ５１）。そして、制御部１８は、その電装品１８ａの温度を検知するためのサーミスタ１８ｂの温度がＡ℃以上になったか否かを判断する（ステップＳ５２）。そして、本実施形態では、サーミスタ１８ｂの温度がＡ℃以上になった場合には（ステップＳ５２：Ｙｅｓ）、ファン１７の運転を再開する（ステップＳ５３）。一方、サーミスタ１８ｂの温度がＡ℃以上にならない場合には（ステップＳ５２：Ｎｏ）、後述するステップＳ５６の処理に移る。
【００５１】
そして、制御部１８は、サーミスタ１８ｂの温度が（Ａ−Ｂ）℃以下になったか否かを判断して（ステップＳ５４）、そのサーミスタ１８ｂの温度が（Ａ−Ｂ）℃以下になった場合には（ステップＳ５４：Ｙｅｓ）、ファン１７を停止させる（ステップＳ５５）。一方、そのサーミスタ１８ｂの温度が（Ａ−Ｂ）℃より高い場合には（ステップＳ５４：Ｎｏ）、サーミスタ１８ｂの温度が（Ａ−Ｂ）℃以下になるまで、ファン１７の運転を継続する（ステップＳ５３）。
【００５２】
そして、制御部１８は、除霜運転の終了条件（ステップＳ５６、Ｓ５７）を満たすか否かを判断して、当該条件を満たす場合には、除霜運転を終了する。具体的には、制御部１８は、室外熱交換器１１の温度がＴ２℃以上になったか否かを判断して（ステップＳ５６）、当該温度がＴ２℃（＞Ｔ１℃）以上になった場合には（ステップＳ５６：Ｙｅｓ）、除霜運転を終了する。また、室外熱交換器１１の温度がＴ２℃より低い場合には（ステップＳ５６：Ｎｏ）、制御部１８は、除霜運転開始から一定時間が経過した否かを判断して（ステップＳ５７）、除霜運転開始から一定時間が経過している場合には（ステップＳ５７：Ｙｅｓ）、除霜運転を終了する。これに対して、室外熱交換器１１の温度がＴ２℃より低く（ステップＳ５６：Ｎｏ）、且つ、除霜運転開始から一定時間が経過していない場合には（ステップＳ５７：Ｎｏ）、再びステップＳ５２に戻り、サーミスタ１８ｂの温度がＡ℃以上になったか否かを判断する。以上のようにして、除霜運転が終了する。
【００５３】
［第１実施形態のヒートポンプ暖房給湯装置１００の特徴］
第１実施形態のヒートポンプ暖房給湯装置１００には、以下のような特徴がある。
【００５４】
本実施形態のヒートポンプ暖房給湯装置１００では、除霜運転時において、ファン１７の運転を停止した後（ステップＳ５１）、制御部１８に実装される電装品１８ａの温度を検知するためのサーミスタ１８ｂの温度がＡ℃以上になった場合に（ステップＳ５２：Ｙｅｓ）、ファン１７の運転を再開する（ステップＳ５３）ことによって、当該除霜運転中に電装品１８ａを冷却することができ、当該電装品１８ａの温度が上昇するのを抑制することができる。
【００５５】
また、本実施形態のヒートポンプ暖房給湯装置１００では、ＣＯ２冷媒が臨界圧以上になるまで圧縮されることにより冷媒の温度が高温となるので、電装品１８ａが高温になる恐れがあるが、上記したように除霜運転時にファン１７を運転することにより、電装品１８ａの温度が上昇するのを抑制することができる。
【００５６】
（第２実施形態）
図５は、本発明の第２実施形態に係るヒートポンプユニットの除霜運転の詳細を示したフローチャートである。この第２実施形態では、除霜運転が開始されたときにファンを停止させる第１実施形態のヒートポンプユニットとは異なり、除霜運転が開始されたときにファンの回転数を下げる制御を行うヒートポンプユニットの除霜運転について説明する。
【００５７】
まず、除霜運転が開始されると、制御部１８は、インバータ制御によりファン１７の回転数を下げる（ステップＳ１５１）。そして、制御部１８は、その電装品１８ａの温度を検知するためのサーミスタ１８ｂの温度がＡ℃以上になったか否かを判断する（ステップＳ１５２）。そして、本実施形態では、サーミスタ１８ｂの温度がＡ℃以上になった場合には（ステップＳ１５２：Ｙｅｓ）、ファン１７の回転数を上げる（ステップＳ１５３）。一方、サーミスタ１８ｂの温度がＡ℃以上にならない場合には（ステップＳ１５２：Ｎｏ）、後述するステップＳ１５６の処理に移る。
【００５８】
そして、制御部１８は、サーミスタ１８ｂの温度が（Ａ−Ｂ）℃以下になったか否かを判断して（ステップＳ１５４）、そのサーミスタ１８ｂの温度が（Ａ−Ｂ）℃以下になった場合には（ステップＳ１５４：Ｙｅｓ）、ファン１７の回転数を下げる（ステップＳ１５５）。一方、そのサーミスタ１８ｂの温度が（Ａ−Ｂ）℃より高い場合には（ステップＳ１５４：Ｎｏ）、サーミスタ１８ｂの温度が（Ａ−Ｂ）℃以下になるまで、当該回転数のファン１７の運転が継続される。
【００５９】
そして、制御部１８は、除霜運転の終了条件（ステップＳ１５６、Ｓ１５７）を満たすか否かを判断して、当該条件を満たす場合には、除霜運転を終了する。具体的には、制御部１８は、室外熱交換器１１の温度がＴ２℃（＞Ｔ１℃）以上になったか否かを判断して（ステップＳ１５６）、当該温度がＴ２℃以上になった場合には（ステップＳ１５６：Ｙｅｓ）、除霜運転を終了する。また、室外熱交換器１１の温度がＴ２℃より低い場合には（ステップＳ１５６：Ｎｏ）、制御部１８は、除霜運転開始から一定時間が経過した否かを判断して（ステップＳ１５７）、除霜運転開始から一定時間が経過している場合には（ステップＳ１５７：Ｙｅｓ）、除霜運転を終了する。これに対して、室外熱交換器１１の温度がＴ２℃より低く（ステップＳ１５６：Ｎｏ）、且つ、除霜運転開始から一定時間が経過していない場合には（ステップＳ１５７：Ｎｏ）、再びステップＳ１５２に戻り、サーミスタ１８ｂの温度がＡ℃以上になったか否かを判断する。以上のようにして、除霜運転が終了する。
【００６０】
［第２実施形態のヒートポンプ暖房給湯装置の特徴］
第２実施形態のヒートポンプ暖房給湯装置には、以下のような特徴がある。
【００６１】
本実施形態のヒートポンプ暖房給湯装置では、除霜運転時において、インバータ制御によりファン１７の回転数を下げた後（ステップＳ１５１）、制御部１８に実装される電装品１８ａの温度を検知するためのサーミスタ１８ｂの温度がＡ℃以上になった場合に（ステップＳ１５２：Ｙｅｓ）、ファン１７の回転数を上げる（ステップＳ１５３）ことによって、ファン１７の回転数が制限される除霜運転中に電装品１８ａをより冷却することができ、当該電装品１８ａの温度が上昇するのを抑制することができる。
【００６２】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６３】
例えば、上記実施形態では、ヒートポンプユニット１においてＣＯ２冷媒を使用する例について説明したが、本発明はこれに限らず、ＮＨ３冷媒やＲ２２冷媒などを使用してもよい。
【００６４】
また、上記実施形態では、暖房機能及び給湯機能を備えたヒートポンプ暖房給湯装置に本発明を適用した例について説明したが、本発明はこれに限らず、暖房機能及び給湯機能のいずれかを備えたヒートポンプ装置にも適用可能である。つまり、上記第１実施形態のヒートポンプ暖房給湯装置における給湯用熱交換器３等を省略したヒートポンプ暖房装置に本発明を適用することも可能であるし、暖房用循環回路４等を省略したヒートポンプ給湯装置に本発明を適用することも可能である。
【００６５】
また、上記実施形態では、貯湯タンク２に貯留される循環液を沸き上げるヒートポンプ装置に本発明を適用した例について説明したが、本発明はこれに限らず、空気調和機（いわゆるエアコン）の室外機にも適用可能である。
【００６６】
また、上記実施形態では、除霜運転中の冷媒の流れの方向を沸き上げ運転時と同じにする正サイクル除霜運転について説明したが、本発明はこれに限らず、除霜運転中の冷媒の流れの方向を沸き上げ運転時とは逆にする逆サイクル除霜運転にも適用可能である。
【００６７】
また、上記実施形態では、過冷却熱交換器１４を有するヒートポンプユニット１を用いる例について説明したが、本発明はこれに限らず、過冷却熱交換器１４を有さないヒートポンプユニットを用いてもよい。
【産業上の利用可能性】
【００６８】
本発明を利用すれば、除霜運転時に電装品の温度が上昇するのを抑制することができる。
【図面の簡単な説明】
【００６９】
【図１】本発明の第１実施形態に係るヒートポンプ暖房給湯装置の構成を示す模式図である。
【図２】図１に示したヒートポンプ暖房給湯装置の貯湯タンク及び給湯用熱交換器の詳細を示した断面図である。
【図３】図１に示したヒートポンプ暖房給湯装置のヒートポンプユニットの動作フローを示したフローチャートである。
【図４】図３に示した除霜運転の詳細を示したフローチャートである。
【図５】本発明の第２実施形態に係るヒートポンプユニットの除霜運転の詳細を示したフローチャートである。
【符号の説明】
【００７０】
１００  ヒートポンプ暖房給湯装置（ヒートポンプ装置）
１  ヒートポンプユニット（室外機）
２  貯湯タンク
５  沸上用循環回路（循環回路）
１１  室外熱交換
１７  ファン（送風機）
１８  制御部
１８ａ  電装品
１８ｂ  サーミスタ
【図１】
2009287843.tif 000003
【図２】
2009287843.tif 000004
【図３】
2009287843.tif 000005
【図４】
2009287843.tif 000006
【図５】
2009287843.tif 000007